(57)【要約】      （修正有）【課題】ＳＣ２形アダプタに嵌合させる光コネクタプラグの誤脱防止具に関する。【解決手段】誤脱防止具１を光コネクタプラグのプラグフレームに被嵌させることにより、アダプタから光コネクタプラグの脱着に使用する挿抜工具の使用を阻止する。前記誤脱防止具は、前記挿抜工具の一部を挿通させるために設けられた脱着用の空間の開口端面を塞ぐように形成された対向する一対の壁体１ａ，１ｂと繋ぎ壁体１ｃとでなる断面コ字形状に形成される。前記一対の壁体１ａ，１ｂの前方端面にはアダプタとの位置決め用係合突起１ｅが突設されていると共に、前記挿抜工具の爪が係合される係合孔に係合して前記誤脱防止具がプラグフレームから脱落しないようにする係合爪１ｄが一対の壁体１ａ，１ｂにそれぞれ設けられている。係合孔の脱着方向側の角部に当接する面は、脱着方向に加わる所要の引張力により係合解除されるように、直線状若しくは曲面状の傾斜面にした。【選択図】図１
2009047985.tif 000002
【特許請求の範囲】
【請求項１】
アダプタの矩形状嵌合部に嵌合される光コネクタプラグのプラグフレームに被嵌されて、前記光コネクタプラグの脱着に使用する挿抜工具の使用を阻止する誤脱防止具であって、
前記誤脱防止具は、対向する一対の壁体とこれらを連結する繋ぎ壁体とでなる断面コ字形状の壁体に形成され、
前記アダプタの嵌合部において前記光コネクタプラグを嵌合させた後に挿抜工具の一部を挿通させるために設けられた脱着用の空間の開口端面を塞ぐように形成された前記一対の壁体の前方端面にはアダプタとの位置決め用の係合突起が突設されていると共に、
前記光コネクタプラグのプラグフレームに設けられて前記挿抜工具の爪が係合される係合孔に係合して前記誤脱防止具が前記プラグフレームから脱落しないようにする係合爪が前記一対の壁体にそれぞれ設けられていて、係合孔の脱着方向側の角部に当接する面は、脱着方向に加わる所要の引張力により係合解除されるように、直線状若しくは曲面状の傾斜面であること、
を特徴とする光コネクタ用誤脱防止具。
【請求項２】
光コネクタ用誤脱防止具の色彩は、光コネクタプラグのプラグフレームの色彩に対する峻別用の色彩であること、
を特徴とする請求項１に記載の光コネクタ用誤脱防止具。
【発明の詳細な説明】
【技術分野】
【０００１】
本発明は、光ケーブルのコネクタにおける治具着脱方式のＳＣ形プラグ（以下、ＳＣ２形プラグという）を高密度実装用ＳＣ２形アダプタから着脱させるＳＣ２形プラグ用であって、挿抜治具により誤って安易にアダプタから光コネクタプラグを抜けないようにする誤脱防止具に関するものである。
【背景技術】
【０００２】
従来、光コネクタにおけるＳＣ形プラグには、特許文献１に記載されているように、光コネクタ係止具が用意されていることが知られている。これは、ロック用解除用部材を覆う光コネクタ係止具において、前記係止具本体とロック確認用片とが一体に形成され、該ロック確認用片は、ＳＣ形アダプタとＳＣ形プラグの接続状態がロック状態にある時のＳＣ形アダプタの弾性係止片とケースの内壁との間隙に嵌入し且つロック状態が不完全なとき、ＳＣ形アダプタの弾性係止片に衝突し、弾性係止片とＳＣ形アダプタのケースとの間隙に嵌入しない厚みを有するものである。
【特許文献１】実開平４−８１１０６号公報
【発明の開示】
【発明が解決しようとする課題】
【０００３】
しかし、前記ＳＣ形プラグに対して、ＳＣ２形プラグ（図３参照）３があり、このＳＣ２形プラグには、誤脱防止用の係止具がない。ＳＣ２形プラグは、図６に示すような、挿抜工具４を用いないと、嵌合させた高密度実装用ＳＣ２形アダプタ（以下、単にアダプタという）から抜くことができない構造である為、誤脱防止用の係止具を設ける必要性が無かった。
【０００４】
前記挿抜工具４は、ＳＣ２形プラグ専用の挿抜工具である。図６に示すように、当該挿抜工具４の先端部には、解除用爪４ａと、引抜き用爪４ｂとが設けられている。前記解除用爪４ａは、アダプタとＳＣ２形プラグとの係止爪の係止作用を解除させるものである。
【０００５】
また、前記引抜き用及び挿入用爪４ｂは、ＳＣ２形プラグに設けられている係合孔に係合して、後方に引き抜き、またはＳＣ２形プラグをアダプタに嵌合するとき、プラグフレーム３ａを挿着する為のものである。この引抜き用爪４ｂは、支点４ｃを中心に揺動回転する一対のレバー４ｄの先端部にあり、本体部と前記レバー４ｄとの間に、常に前記引抜き用爪４ｂを閉じる方向に付勢する弾性体（例えば、コイルスプリング）４ｅが設けられている。
【０００６】
このＳＣ２形プラグは、光通信において、中継機器用回線等で、情報量が多く且つ重要回線を担っているものがあり、万が一にも誤って引き抜いてしまうと、その被害は甚大なものとなる。よって、更なる信頼性の確保のためにも、誤脱防止具が必要となっている。本発明に係る光コネクタ用誤脱防止具は、このような課題を解決するために提案されたものである。
【課題を解決するための手段】
【０００７】
本発明に係る光コネクタ用誤脱防止具の上記課題を解決して目的を達成するための要旨は、アダプタの矩形状嵌合部に嵌合される光コネクタプラグのプラグフレームに被嵌されて、前記光コネクタプラグの脱着に使用する挿抜工具の使用を阻止する誤脱防止具であって、前記誤脱防止具は、対向する一対の壁体とこれらを連結する繋ぎ壁体とでなる断面コ字形状の壁体に形成され、前記アダプタの嵌合部において前記光コネクタプラグを嵌合させた後に挿抜工具の一部を挿通させるために設けられた脱着用の空間の開口端面を塞ぐように形成された前記一対の壁体の前方端面にはアダプタとの位置決め用の係合突起が突設されていると共に、前記光コネクタプラグのプラグフレームに設けられて前記挿抜工具の爪が係合される係合孔に係合して前記誤脱防止具が前記プラグフレームから脱落しないようにする係合爪が前記一対の壁体にそれぞれ設けられていて、係合孔の脱着方向側の角部に当接する面は、脱着方向に加わる所要の引張力により係合解除されるように、直線状若しくは曲面状の傾斜面であるようにしたことである。
【０００８】
前記光コネクタ用誤脱防止具の色彩は、光コネクタプラグのプラグフレームの色彩に対する峻別用の色彩であること、を含むものである。
【発明の効果】
【０００９】
本発明の光コネクタ用誤脱防止具によれば、高密度実装用ＳＣ２形アダプタに嵌合・接続されたＳＣ２形プラグに、前記光コネクタ用誤脱防止具を被嵌させると、前記ＳＣ２形アダプタの嵌合端面における、挿抜工具の一部を挿通させるために設けられた脱着用の空間の開口端面が、前記一対の壁体で塞がれてしまい、挿抜工具が使用できない状態になる。よって、確実に、前記ＳＣ２形プラグの誤脱が防止される。
【００１０】
また、前記一対の壁体の前方端面には、アダプタにおける脱着用の空間に挿入される位置決め用係合突起が突出されているので、ＳＣ２形プラグに装着後の嵌合状態が安定して、捻りに対して強くなり、前記光コネクタ用誤脱防止具が前記ＳＣ２形プラグのプラグフレームにしっかりと装着される。
【００１１】
更に、光コネクタ用誤脱防止具は、成形材料の色を変えることにより、光コネクタプラグのプラグフレームの色彩に対する峻別用の色彩を付することが可能で、重要な回線の誤脱に対して、例えば、赤色又は黄色で成形することにより重ねての警告となる。前記一対の壁体に設けられた係合爪において係合孔の脱着方向側の角部に当接する面は、脱着方向に加わる所要の引張力により係合解除されるように、直線状若しくは曲面状の傾斜面であるので、ある所要の力が脱着方向に加わると、前記光コネクタ用誤脱防止具を前記ＳＣ２形プラグから脱着させることができると共に、通常の振動及び衝撃では脱落することがない。
【発明を実施するための最良の形態】
【００１２】
本発明に係る光コネクタ用誤脱防止具１は、図１乃至図３−Ｂに示すように、中継器などの機器側に設けられるアダプタ２の接続側における矩形状の嵌合部２ａに嵌合されたＳＣ２形プラグ（以下、単にプラグということもある）３のプラグフレーム３ａに被嵌されて、前記プラグ３のアダプタ２から脱着に使用する挿抜工具４（図６参照）の使用を阻止する合成樹脂製の誤脱防止具である。
【００１３】
前記誤脱防止具１は、図１乃至図２に示すように、対向する一対の壁体１ａ，１ｂとこれらを連結する薄い平板体の繋ぎ壁体１ｃとでなる断面コ字形状の壁体に形成されている。そして、前記一対の壁体１ａ，１ｂは、前記アダプタ２の嵌合部２ａにおいて前記プラグ３を嵌合させた後に、挿抜工具４の一部である先端の解除用爪４ａを挿通させるために設けられた脱着用の空間２ｃの開口端面２ｂを塞ぐように形成されている。
【００１４】
更に、前記一対の壁体１ａ，１ｂには、前記プラグ３のプラグフレーム３ａに設けられて前記挿抜工具４の引抜き用爪４ｂが係合される係合孔３ｂに係合して前記誤脱防止具１が前記プラグフレーム３ａから脱落しないようにする係合爪１ｄがそれぞれ設けられている。
【００１５】
また、前記一対の壁体１ａ，１ｂの前方端面には、アダプタ２における脱着用の空間２ｃに挿入される係合突起１ｅが突出され一体に設けられている。
【００１６】
光コネクタ用誤脱防止具１の成形材料の色を変えることにより、プラグ３のプラグフレーム３ａの色彩に対する峻別用の色彩で成形されている為、作業者の視覚によって、見間違えが防止される。
【００１７】
一対の壁体１ａ，１ｂに設けられた係合爪１ｄにおいて、係合孔３ｂの脱着方向側の角部に当接する面は、図２（Ｃ）に示すように、脱着方向ａに加わる所要の引張力により係合解除されるように、直線状若しくは曲面状の傾斜面１ｆである。また、同様の効果を奏すればよいので、前記傾斜面１ｆによる略三角形状の他にも、図２（Ｄ）に示すように、半円形状若しくは半楕円形状等でもよい。
【００１８】
また、図１乃至図２（Ａ），（Ｂ）に示すように、前記一対の壁体１ａ，１ｂの後方に延設された一対の平板状の安定保持板１ｇがあり、この安定保持板１ｇの後部に係合孔１ｈが設けられている。この安定保持板１ｇ，１ｇは、図３−Ａに示すように、光ケーブル５に被せたブーツ６を両側から挟持するものであり、前記係合孔１ｈは、挿抜工具４の引抜き用爪４ｂ（図４参照）がこの係合孔１ｈに係合して、光コネクタ用誤脱防止具１を装着させたプラグ３のプラグフレーム３ａから、当該光コネクタ用誤脱防止具１のみを脱着させるためのものである。
【００１９】
前記光コネクタ用誤脱防止具１は、以上のようにして構成され、これを、高密度実装用ＳＣ２形アダプタ２に嵌合・接続されたＳＣ２形プラグ３に、図４に示す挿抜工具４で、図３−Ａに示すように、プラグフレーム３ａに係合孔３ｂが有る方に一対の壁体１ａ，１ｂが被さるように位置決めして装着する。そして、同時に、前記嵌合孔３ｂに前記一対の壁体１ａ，１ｂにおける係合爪１ｄが係合する。
【００２０】
また、前方の４箇所の位置決め用係合突起１ｅが開口端面２ｂから空間２ｃ内に挿入される。こうして、開口端面２ｂが光コネクタ用誤脱防止具１で塞がれて、前記挿抜工具４で前記ＳＣ２形プラグ３の脱着が出来ないようにするのである。
【００２１】
前記光コネクタ用誤脱防止具１がＳＣ２形プラグ３に装着されたことで、挿抜工具４における係合作用の解除用爪４ａをアダプタ２の開口端面２ｂから挿入することができない。よって、アダプタ２のロック用爪２ｄ（図３−Ｂ（Ａ）参照）を、ＳＣ２形プラグ３のロック用凹部３ｃから外すことができないので、当該ＳＣ２形プラグ３とアダプタ２とのロック状態が維持されて誤脱防止となる。
【００２２】
また、脱着対象のＳＣ２形プラグ３をアダプタ２から脱着させるには、最初に、前記挿抜工具４で光ケーブル５の後方側から光コネクタ用誤脱防止具１に向かって解除用爪４ａを挿入し、引抜き用爪４ｂが安定保持板１ｇの係合孔１ｈに係合させる。この光コネクタ用誤脱防止具１は、色彩的にも、高密度に実装されたＳＣ２形プラグ３の色彩と明らかに異なる色彩であるので、容易に作業者が目視で確認できる。
【００２３】
そして、この挿抜工具４を後方に引くと、前記光コネクタ用誤脱防止具１が後方に引き出されて、ＳＣ２形プラグ３のプラグフレーム３ａから脱着される。光コネクタ用誤脱防止具１が脱着対象のプラグ３から脱着されると隣接するＳＣ２形プラグ３との区別が付かなくなるおそれがあるので、この脱着対象のＳＣ２形プラグ３に隣接する他のＳＣ２形プラグ３には、間違いの無いように光コネクタ用誤脱防止具１を装着しておくのが好ましい。
【００２４】
この後、通常通りに、前記挿抜工具４で、その解除用爪４ａを脱着対象のＳＣ２形プラグ３が嵌合されている部位の開口端面２ｂから空間２ｃ内に差し込み、ロック用爪２ｄを外側に押し上げてロック用凹部３ｃから係合解除させる。同時に、引抜き用爪４ｂが係合孔３ｂに係合される。
【００２５】
次に、前記挿抜工具４を後方へ引くと、前記引抜き用爪４ｂにより脱着対象の前記ＳＣ２形プラグ３が前記高密度実装用アダプタ２から後方に引き抜かれるものである。
【００２６】
本発明に係る光コネクタ用誤脱防止具１は、前記ＳＣ２形プラグ３に装着するために形成されたものであるが、図５に示すように、ＳＣ形プラグ７をＳＣ形アダプタ９に嵌合・接続させている状態においては、光ケーブル５のブーツ６と、そのブーツ６に被せたツマミ８との間の間隙に、前記光コネクタ用誤脱防止具１の一対の安定保持板１ｇ，１ｇを差し込んで装着し（前記ＳＣ２形プラグ３の場合とは逆方向の取付となる）、光コネクタ用誤脱防止具１をＳＣ形プラグ７に装着することができる。これにより、ＳＣ形プラグ７における回線の識別や警告などの目印となる。
【図面の簡単な説明】
【００２７】
【図１】本発明に係る光コネクタ用誤脱防止具１の正面図（Ａ），側面図（Ｂ），背面図（Ｃ），底面図（Ｄ），側面図（Ｅ），平面図（Ｆ）である。
【図２】同本発明の光コネクタ用誤脱防止具１の前方から見た斜視図（Ａ），後方から見た斜視図（Ｂ），係合爪１ｄの拡大断面図（Ｃ），係合爪１ｄの他の実施例を示す断面図（Ｄ）である。
【図３−Ａ】同光コネクタ用誤脱防止具１をＳＣ２形プラグに装着して、ＳＣ２形アダプタにＳＣ２形プラグを嵌合させる前後の状態を示す説明図（Ａ），（Ｂ）である。
【図３−Ｂ】同光コネクタ用誤脱防止具１の使用状態における縦断面図（Ａ）と、ＳＣ２形アダプタの嵌合部を示す正面図（Ｂ）である。
【図４】同光コネクタ用誤脱防止具１を挿抜工具４で光ケーブル５に沿わせてＳＣ２形プラグ３に装着する際の、工具への取付けを説明する説明図（Ａ），（Ｂ）である。
【図５】同光コネクタ用誤脱防止具１を、ＳＣ形プラグへ取り付けることが出来ることを示す、説明図（Ａ），（Ｂ）である。
【図６】挿抜工具４の側面図（Ａ）、正面図（Ｂ）、平面図（Ｃ）、側面図（Ｄ）である。
【符号の説明】
【００２８】
１          光コネクタ用誤脱防止具、          １ａ，１ｂ    壁体、
１ｃ        繋ぎ壁体、                        １ｄ          係合爪、
１ｅ        係合突起、                        １ｆ          傾斜面、
１ｇ        安定保持板、                      １ｈ          係合孔、    
２          高密度実装用ＳＣ２形アダプタ、    ２ａ          嵌合部、
２ｂ        開口端面、                        ２ｃ          空間、
３          治具着脱方式ＳＣ形プラグ          ３ａ          プラグフレーム、
３ｂ        係合孔、                          ３ｃ          ロック用凹部、
４          挿抜工具、                        ４ａ          解除用爪、
４ｂ        引抜き用爪、
５          光ケーブル、
６          ブーツ、
７          ＳＣ形プラグ、
８          ツマミ、
９          ＳＣ形アダプタ。
【図１】
2009047985.tif 000003
【図２】
2009047985.tif 000004
【図３−Ａ】
2009047985.tif 000005
【図３−Ｂ】
2009047985.tif 000006
【図４】
2009047985.tif 000007
【図５】
2009047985.tif 000008
【図６】
2009047985.tif 000009